(57)【特許請求の範囲】
【請求項１】
モータで駆動されると共に吐出側配管に一方向弁が介装される電動式ポンプと、エンジンで駆動されると共に前記一方向弁の下流側の配管に吐出側配管が接続される機械式ポンプとを備えた車両において、前記電動式ポンプを制御する制御装置であって、
前記エンジンの回転停止中にモータ回転速度に応じてモータ印加電圧を制御して前記電動式ポンプを作動させる場合に、前記エンジンの停止前からモータ電流に応じてモータ印加電圧を制御して前記電動式ポンプを作動させ、その後、モータ回転速度に応じたモータ印加電圧の制御に移行する、車両用電動式ポンプの制御装置。
【請求項２】
モータ電流に応じたモータ印加電圧の制御からモータ回転速度に応じたモータ印加電圧の制御への移行を、モータ回転速度の上昇に応じて行う、請求項１記載の車両用電動式ポンプの制御装置。
【請求項３】
モータ電流に応じたモータ印加電圧の制御からモータ回転速度に応じたモータ印加電圧の制御への移行を、前記一方向弁の下流側圧力の低下に応じて行う、請求項１記載の車両用電動式ポンプの制御装置。
【発明の詳細な説明】
【技術分野】
【０００１】
本発明は、車両用電動式ポンプの制御装置に関し、詳しくは、エンジンで駆動される機械式ポンプを補助するために設けた電動式ポンプの制御装置に関する。
【背景技術】
【０００２】
特許文献１には、エンジンに接続した変速機構の作動油圧を、エンジンで駆動される機械式オイルポンプによって供給するアイドルストップ機構付車両において、エンジンのアイドルストップ制御中（エンジン停止中）は、変速機構に対して電動式オイルポンプから作動油圧を供給する技術が開示されている。
【先行技術文献】
【特許文献】
【０００３】
【特許文献１】特開２００９−２９３６４９号公報
【発明の概要】
【発明が解決しようとする課題】
【０００４】
上記のように、電動式オイルポンプをエンジンの停止中に用いる場合、電動式オイルポンプの吐出側を、一方向弁を介して機械式オイルポンプの吐出側に接続し、エンジンの回転中であって機械式オイルポンプの作動中に、オイルが電動式オイルポンプ側へ逆流することを阻止するようにしている。
また、電動式オイルポンプの制御においては、必要流量を確保するために、ポンプ回転速度が目標値に近づくようにポンプの印加電圧を変化させ、かつ、電動式オイルポンプを、エンジンの停止に備えて予め起動させ、機械式オイルポンプの停止時おける作動油圧の落ち込みを抑制するようにする場合がある。
【０００５】
しかし、電動式オイルポンプの起動直後のエンジン（機械式オイルポンプ）が回転を継続している間は、一方向弁の下流側圧力が高い状態に維持されるために一方向弁が開かず、電動式オイルポンプの回転速度の上昇が頭打ちになる。
従って、制御量としてのポンプ回転速度を目標値に近づけるように印加電圧を変化させる制御を行うと、印加電圧が高くなって過大電流が流れてしまうという問題が生じ、また、一方向弁が開くまで印加電圧を増大変化させる結果、一方向弁が開いてポンプ負荷が急減したときに、流量のオーバーシュートが発生してしまうという問題があった。
【０００６】
本発明は上記問題点に鑑みなされたものであり、電動式ポンプに過大な電流が流れることを抑制でき、かつ、流量のオーバーシュートを抑制できる車両用電動式ポンプの制御装置を提供することを目的とする。
【課題を解決するための手段】
【０００７】
そのため、本願発明は、エンジンの回転停止中にモータ回転速度に応じてモータ印加電圧を制御して電動式ポンプを作動させる場合に、エンジンの停止前からモータ電流に応じてモータ印加電圧を制御して電動式ポンプを作動させ、その後、モータ回転速度に応じたモータ印加電圧の制御に移行するようにした。
【発明の効果】
【０００８】
上記発明によると、エンジン回転中から電動式ポンプを作動させるときに、電動式ポンプに過大な電流が流れることを抑制でき、かつ、流量のオーバーシュートを抑制できる。
【図面の簡単な説明】
【０００９】
【図１】実施形態において、本願発明に係る車両用電動式ポンプの制御装置を適用する、自動車ＡＴ（オートマチック・トランスミッション）用油圧ポンプシステムを示すブロック図である。
【図２】実施形態におけるモータ制御装置及びブラシレスモータの構成を示す回路図である。
【図３】実施形態におけるブラシレスモータの通電パターンを示すタイムチャートである。
【図４】実施形態における電動式オイルポンプの駆動制御のメインルーチンを示すフローチャートである。
【図５】実施形態における通電モードの切り替え処理を示すフローチャートである。
【図６】実施形態におけるブラシレスモータの位置決め処理を示す図である。
【図７】実施形態における低速センサレス制御の特性を示すタイムチャートである。
【図８】実施形態におけるブラシレスモータの起動時における通電モードの切り替え処理を示す図である。
【図９】実施形態におけるブラシレスモータの印加電圧の設定処理を示すフローチャートである。
【図１０】実施形態におけるエンジン回転速度、ポンプ回転速度、ポンプ印加電圧、ポンプ電流の相関を示すタイムチャートである。
【図１１】実施形態における印加電圧の設定処理の別の例を示すフローチャートである。
【発明を実施するための形態】
【００１０】
以下に本発明の実施の形態を説明する。
図１は、本願発明に係る車両用電動式ポンプの制御装置を適用する、自動車ＡＴ（オートマチック・トランスミッション）用油圧ポンプシステムの構成を示すブロック図である。
図１に示す自動車ＡＴ用油圧ポンプシステムでは、変速機７の油圧回路にオイル（作動油）を供給するオイルポンプとして、エンジン（内燃機関）１２の出力により駆動される機械式オイルポンプ（機械式ポンプ）６と、モータで駆動される電動式オイルポンプ（電動式ポンプ）１とを並列に備えている。
【００１１】
また、エンジン１２を制御するエンジン・コントロール・モジュール（ＥＣＭ）１３には、エンジン１２の運転条件を検出する各種センサ（エンジン回転速度を検出するセンサを含む）からの信号が入力され、これらの信号に基づいてエンジン１２への燃料噴射や点火を制御する。
更に、エンジン・コントロール・モジュール（ＥＣＭ）１３は、アイドルストップ実行条件（自動停止条件）の成立時にエンジン１２を停止し、アイドルストップ停止条件（自動始動条件）が成立するとエンジン１２を再始動する、アイドルストップ制御機能を備えている。
【００１２】
電動式オイルポンプ１は、直結されたブラシレスモータ２により駆動される。モータ制御装置（ＭＣＵ）３は、ＡＴ制御装置（ＡＴＣＵ）４からの指令に基づき、ブラシレスモータ２を制御する。
但し、電動式オイルポンプ１に用いるモータをブラシレスモータに限定するものではなく、ブラシ（整流子）を備えた電動機であってもよい。
ＥＣＭ１３は、アイドルストップの許可・不許可の情報をＡＴＣＵ４に送信する。そして、アイドルストップによってエンジン１２が停止されている間は、機械式オイルポンプ６もその動作を停止するため、ＡＴＣＵ４は、アイドルストップ中において電動式オイルポンプ１を動作させて、変速機７に対するオイルの供給（作動油圧の確保）を行わせるように、ＭＣＵ３に対して指令を出力する。
【００１３】
電動式オイルポンプ１の吸込口には、オイルパン１０内に一端が開放される吸込側配管５ａが接続され、また、電動式オイルポンプ１の吐出口には、吐出側配管５ｂが接続される。
前記吐出側配管５ｂには、電動式オイルポンプ１から変速機７に向けたオイルの流れを許容する一方向弁１１を介装してある。この一方向弁１１は、上流側の圧力が下流側の圧力よりも設定圧以上に高くなると開弁する機械式の逆止弁である。
【００１４】
一方、機械式オイルポンプ６の吸込口には、オイルパン１０内に一端が開放される吸込側配管９ａが接続され、また、機械式オイルポンプ６の吐出口には、吐出側配管９ｂが接続される。
そして、電動式オイルポンプ１の吐出側配管５ｂと機械式オイルポンプ６の吐出側配管９ｂとが合流して油圧供給配管８に接続し、油圧供給配管８によって作動油圧が変速機７に供給される。
【００１５】
エンジン１２の回転中（運転中）は、エンジン１２により駆動される機械式オイルポンプ６がオイルパン１０内のオイルを吸い込んで、変速機７に向けてオイルを圧送する。
このとき、ブラシレスモータ２はオフであって、一方向弁１１の下流側の圧力が上流側の圧力よりも高く、一方向弁１１が閉弁状態を保持するため、電動式オイルポンプ１に向かうオイルの流れは、一方向弁１１によって遮断される。
【００１６】
一方、エンジン１２がアイドルストップによって回転を停止すると、機械式オイルポンプ６も回転を停止し、オイルを圧送することができなくなる。これによって、変速機７における作動油圧が低下すると、エンジン１２を再始動させて発進するときの油圧応答の遅れによって発進ショックなどを発生させてしまう。
そこで、エンジン１２のアイドルストップ条件が成立し、アイドルストップの許可状態になると、ＡＴ制御装置４がモータ起動の指令をモータ制御装置３に送信し、エンジン１２の回転停止に備えて予め電動式オイルポンプ１を起動させておくことで、エンジン１２のアイドルストップに伴って、変速機７における作動油圧が落ち込むことを抑制する。
【００１７】
ブラシレスモータ２が起動し電動式オイルポンプ１が回転し始めることで、一方向弁１１上流側の吐出側配管５ｂ内の油圧が上昇する一方、エンジン１２がアイドルストップすることで機械式オイルポンプ６の吐出圧が低下するため、一方向弁１１が開弁し、電動式オイルポンプ１の吐出圧が変速機７に供給されるようになり、エンジン１２の停止中は、電動式オイルポンプ１の駆動を継続させて、作動圧の保持を図る。
【００１８】
図２は、モータ制御装置３及びブラシレスモータ２の詳細を示す。
モータ制御装置３は、モータ駆動回路２１２と、マイクロコンピュータを備えた制御器２１３とを含んで構成され、制御器２１３はＡＴ制御装置４との間で通信を行う。
ブラシレスモータ２は、３相ＤＣブラシレスモータ（３相同期電動機）であり、Ｕ相，Ｖ相及びＷ相の３相巻線２１５Ｕ，２１５Ｖ，２１５Ｗを、図示省略した円筒状の固定子に備え、該固定子の中央部に形成された空間に永久磁石回転子２１６が配置される。
【００１９】
そして、モータ駆動回路２１２は、例えばＩＧＢＴからなる６個のスイッチング素子２１７ａ〜２１７ｆを３相ブリッジ接続し、かつ、各スイッチング素子２１７ａ〜２１７ｆに逆並列にダイオード２１８ａ〜２１８ｆをそれぞれ接続して構成され、かつ、電源回路２１９を有している。
スイッチング素子２１７ａ〜２１７ｆの制御端子（ゲート端子）は、制御器２１３に接続され、スイッチング素子２１７ａ〜２１７ｆのオン・オフは、制御器２１３によるパルス幅変調動作で制御される。
【００２０】
制御器２１３は、モータ駆動回路２１２へのパルス幅変調信号（ＰＷＭ信号）を生成し、ブラシレスモータ２の印加電圧Ｖを制御する回路であり、相電圧に基づいて回転子２１６の回転位置を検出し、この位置情報に基づいて通電モードを決定する所謂センサレス方式で各相への通電を制御する。
ＡＴ制御装置４は、ブラシレスモータ２の制御量の目標値として、後述するように、目標回転速度ＴＧＮＰ又は目標電流ＴＧＡＰを演算してモータ制御装置３に送信する一方、モータ制御装置３からブラシレスモータ２の回転速度ＮＰの情報などを受信する。
【００２１】
図３は、通電モード毎の各相への印加電圧Ｖを示す。
通電モードは、電気角６０degごとに順次切り替わる６通りの通電モード（１）〜（６）からなり、各通電モード（１）〜（６）においてスイッチング素子２１７ａ〜２１７ｆは、指令電圧に応じてパルス幅変調した信号で駆動される。
【００２２】
本実施形態では、Ｕ相のコイルの角度位置を基準位置（deg）とし、通電モード（３）から通電モード（４）への切り替えを行う角度位置を３０degに、通電モード（４）から通電モード（５）への切り替えを行う角度位置を９０degに、通電モード（５）から通電モード（６）への切り替えを行う角度位置を１５０degに、通電モード（６）から通電モード（１）への切り替えを行う角度位置を２１０degに、通電モード（１）から通電モード（２）への切り替えを行う角度位置を２７０degに、通電モード（２）から通電モード（３）への切り替えを行う角度位置を３３０degに設定している。
【００２３】
通電モード（１）は、スイッチング素子２１７ａ及びスイッチング素子２１７ｄをオン制御し、他を全てオフとすることで、Ｕ相に電圧Ｖを印加し、Ｖ相に電圧−Ｖを印加し、Ｕ相からＶ相に向けて電流を流す。
通電モード（２）は、スイッチング素子２１７ａ及びスイッチング素子２１７ｆをオン制御し、他を全てオフとすることで、Ｕ相に電圧Ｖを印加し、Ｗ相に電圧−Ｖを印加し、Ｕ相からＷ相に向けて電流を流す。
【００２４】
通電モード（３）は、スイッチング素子２１７ｃ及びスイッチング素子２１７ｆをオン制御し、他を全てオフとすることで、Ｖ相に電圧Ｖを印加し、Ｗ相に電圧−Ｖを印加し、Ｖ相からＷ相に向けて電流を流す。
通電モード（４）は、スイッチング素子２１７ｂ及びスイッチング素子２１７ｃをオン制御し、他を全てオフとすることで、Ｖ相に電圧Ｖを印加し、Ｕ相に電圧−Ｖを印加し、Ｖ相からＵ相に向けて電流を流す。
【００２５】
通電モード（５）は、スイッチング素子２１７ｂ及びスイッチング素子２１７ｅをオン制御し、他を全てオフとすることで、Ｗ相に電圧Ｖを印加し、Ｕ相に電圧−Ｖを印加し、Ｗ相からＵ相に向けて電流を流す。
通電モード（６）は、スイッチング素子２１７ｅ及びスイッチング素子２１７ｄをオン制御し、他を全てオフとすることで、Ｗ相に電圧Ｖを印加し、Ｖ相に電圧−Ｖを印加し、Ｗ相からＶ相に向けて電流を流す。
【００２６】
上記のように、６つの通電モード（１）〜（６）を、電気角６０deg毎に切り替えることで、各スイッチング素子２１７ａ〜２１７ｆは、２４０deg毎に１２０deg間通電されることから、図３に示すような通電方式は１２０度通電方式と呼ばれる。
図４は、ＡＴ制御装置４が実施する、電動式オイルポンプ１（ブラシレスモータ２）の制御のメインルーチンを示す。
【００２７】
まず、ステップＳ１０１では、エンジン１２の運転条件の情報（アイドルストップの許可・不許可の情報や、エンジン回転速度の情報などを含む）や、電動式オイルポンプ１（ブラシレスモータ２）の回転速度ＮＰの情報などを取得する。
そして、ステップＳ１０２では、アイドルストップが許可されているか否かを判断し、アイドルストップが不許可の状態であれば、ステップＳ１０１へ戻って各種情報を再取得する。
【００２８】
一方、ステップＳ１０２でアイドルストップが許可されていると判断した場合には、ステップＳ１０３へ進み、機械式オイルポンプ６に代わって、電動式オイルポンプ１によって変速機７に対する作動油圧の供給を行わせるために、電動式オイルポンプ１を駆動制御する。
ステップＳ１０３で実施する電動式オイルポンプ１の駆動制御としては、ブラシレスモータ２の通電モード（通電相）の切り替え制御と、ブラシレスモータ２の印加電圧Ｖの設定制御とがあり、これらの制御については、後で詳細に説明する。
【００２９】
電動式オイルポンプ１の駆動制御を行っている状態では、更に、ステップＳ１０４へ進み、アイドルストップの停止要求があるか否かを判断し、アイドルストップの停止要求が無ければ、ステップＳ１０３に戻って電動式オイルポンプ１の駆動制御を継続させ、エンジン１２が再始動される場合には、そのまま本ルーチンを終了させることで、電動式オイルポンプ１の駆動を停止する。
【００３０】
ここで、前記ステップＳ１０３における通電モードの切り替え制御を、図５のフローチャートに従って説明する。
図５のフローチャートに示すルーチンは、電動式オイルポンプ１の駆動開始指令をトリガとして処理が開始される。
【００３１】
まず、ステップＳ２０１では、ブラシレスモータ２を起動するに当たって、ブラシレスモータ２の初期位置を決定するための位置決め操作を行う。
具体的には、例えば図６に示すように、通電モード（３）に対応する相通電、即ち、Ｖｕ＝０、Ｖｖ＝Ｖin、Ｖｗ＝−Ｖinに設定し、係る相通電状態を保持することで、モータ角度の初期値を９０degとする。
【００３２】
但し、初期位置を決定するための位置決めを、通電モード（３）に対応する相通電による９０degの位置に限定するものではなく、他の通電モード（１），（２），（４）〜（６）のいずれかに対応する相通電を行わせることができ、更には、通電モード（１）〜（６）のいずれにも該当しないパターンの相通電を行わせてもよい。
ステップＳ２０１で、ブラシレスモータ２を初期位置に位置決めするための相通電を行うと、次のステップＳ２０２では、ステップＳ２０１での相通電状態を、ブラシレスモータ２が初期位置まで回動するのに要する時間に相当する設定時間だけ継続したか否かを判断し、設定時間が経過すると、実際にブラシレスモータ２が初期位置になったものと推定してステップＳ２０３へ進む。
【００３３】
ステップＳ２０３では、通電モードの切り替えによるブラシレスモータ２の回転駆動制御として、低速センサレス制御を開始する。
前記低速センサレス制御とは、モータ回転速度ＮＰを低速域と高速域とに２分した場合に、前記低速域において、３相固定子巻線のうち、２相の印加パルス電圧によって非通電相に誘起される電圧（パルス誘起電圧）を検出し、図７に示しように、非通電相の端子電圧と通電モード毎の閾値（プラス閾値またはマイナス閾値）とを比較し、非通電相の端子電圧が閾値に達した時点で、電圧を印加する２相（通電モード）を切り替える制御である。
【００３４】
低速センサレス制御においては、回転子の位置により磁気回路の飽和状態が変化することから、２相の印加パルス電圧によって、回転子の位置に応じた誘起電圧が非通電相に発生することになり、非通電相の誘起電圧から、回転子位置を推定して、通電モードの切り替えタイミングを検出する。
上記の低速センサレス制御を実施することで、エンジン回転中であってモータ回転速度が上がらない状態から電動式オイルポンプ１を作動させても、ブラシレスモータ２を脱調させることなく、通電制御することが可能である。
【００３５】
ステップＳ２０３で、初期位置から低速センサレス制御によってブラシレスモータ２を回転させ始める場合には、回転子２１６が応答しない範囲内の時間で、通電モードの切り替えを２回行って、前記切り替え後の通電モードで発生する合成磁束に回転子２１６が引かれることでトルクが発生し、初期位置から回転し始めるようにする。
例えば、初期位置を、通電モード（３）での相通電による９０degの角度位置として設定した場合には、図８に示すように、通電モード（３）に対応する相通電を維持していた状態から、電流は応答変化するが回転子２１６は回動しない時間Ｔ（例えば５００μsec）で、通電モード（４）を経て通電モード（５）に切り換え、通電モード（５）での合成磁束に引かれて、初期位置の９０degから２１０degに向けて回転子２１６が回転し始めるようにする。
【００３６】
そして、初期位置の９０degから回転し始めると、通電モード（５）の非通電相であるＶ相の端子電圧に基づき、通電モード（６）への切り替えタイミングを判断し、通電モード（６）への切り替えを行い、その後は、非通電相の端子電圧に基づいて通電モードの切り替えタイミングを検出することで通電モードを順次切り替え、ブラシレスモータ２を回転させる。
低速センサレス制御を開始すると、ステップＳ２０４では、モータ回転速度ＮＰが前記低速域と高速域とに切り分ける閾値以上になったか否かを判断し、そのときのモータ回転速度ＮＰが閾値未満であれば、そのまま低速センサレス制御を継続し、そのときのモータ回転速度ＮＰが閾値以上であれば、ステップＳ２０５へ進み、回転子が回転することによって発生する誘起電圧（速度起電力）を検出し、この誘起電圧（速度起電力）のゼロクロスポイントで通電モードを切り替える高速センサレス制御に移行する。
【００３７】
高速センサレス制御に移行した後は、ステップＳ２０６で、モータ回転速度ＮＰが〔閾値−ヒステリシス分〕よりも低くなったか否かを判断し、モータ回転速度ＮＰが〔閾値−ヒステリシス分〕よりも低くなれば、再度低速センサレス制御に戻るようにする。
前記ヒステリシス分（＞０）は、モータ回転速度ＮＰが閾値近傍で変動する場合に、低速センサレス制御と高速センサレス制御との間で頻繁な切り替えがなされることがないように、高速センサレス制御に移行した後は、モータ回転速度ＮＰが前記閾値を下回っても低速センサレス制御への切り替えを行わず、モータ回転速度ＮＰが〔閾値−ヒステリシス分〕まで低下して初めて低速センサレス制御への切り替えを行う。
【００３８】
モータ回転速度ＮＰが〔閾値−ヒステリシス分〕以上である場合には、ステップＳ２０７へ進み、電動式オイルポンプ１の停止指令が出力されたか否かを判断し、電動式オイルポンプ１の停止指令が出力されていなければ、ステップＳ１０４へ戻って高速センサレス制御によるモータ駆動を継続し、停止指令が出力されると、本ルーチンを終了させることで、ブラシレスモータ２の各相への通電を遮断する。
図９のフローチャートは、前記ステップＳ１０３における印加電圧Ｖの設定制御の詳細を示す。
【００３９】
ステップＳ３０１では、エンジン１２が回転中であるか否かを判断する。前述のように、アイドルストップの許可判定に基づきブラシレスモータ２が起動される一方、ブラシレスモータ２の起動後にエンジン１２における燃料噴射・点火を停止させ、ブラシレスモータ２の起動後にエンジン１２（機械式オイルポンプ６）の回転が停止するようにしてある。
即ち、機械式オイルポンプ６から電動式オイルポンプ１への移行時に、エンジン１２の回転停止前から電動式オイルポンプ１を作動させ、機械式オイルポンプ６と電動式オイルポンプ１との双方がオイルを吐出する過渡期間を設けることで、電動式オイルポンプ１の立ち上がり遅れによって作動圧が落ち込むことを抑制するようにしてある。
【００４０】
従って、ブラシレスモータ２を起動させたとき及び起動直後においては、エンジン１２が回転中であり、ステップＳ３０１でエンジン１２が回転中であると判断することで、ステップＳ３０２へ進む。
尚、エンジン１２の回転・回転停止は、エンジン１２の回転に同期してパルス信号を発生するクランク角センサからのパルス信号の出力が途絶えているか否かに基づいて判断できる。
【００４１】
ステップＳ３０２では、ブラシレスモータ２の電流（通電相に流れる電流）ＡＰが目標電流ＴＧＡＰに近づくように印加電圧Ｖを決定する制御（印加電圧Ｖの操作により電流ＡＰを制御する電流制御）を行い、この印加電圧Ｖの情報をモータ制御装置３に出力する。
具体的には、モータ電流ＡＰが目標電流ＴＧＡＰよりも低い場合には印加電圧Ｖを増加させ、モータ電流ＡＰが目標電流ＴＧＡＰよりも高い場合には印加電圧Ｖを減少させる制御を行うものであり、係る印加電圧Ｖの決定には、例えば、モータ電流ＡＰと目標電流ＴＧＡＰとの偏差に基づく比例・積分・微分制御を用いることができる。
【００４２】
印加電圧Ｖの指令値を受け取ったモータ制御装置３は、指令電圧値に応じてパルス幅変調した信号でスイッチング素子２１７ａ〜２１７ｆを駆動する。
前記目標電流ＴＧＡＰは、電動式オイルポンプ１の定常状態で作動油圧を確保可能な電流値であって、後述するモータ回転速度ＮＰを目標回転速度ＴＧＮＰに近づけるように印加電圧Ｖを決定する制御（印加電圧Ｖの操作によりモータ回転速度ＮＰを制御する回転速度制御）における許容最大電流よりも低い電流として、予め設定・記憶されている。即ち、前記目標電流ＴＧＡＰは、目標油圧相当値に応じて定めることが好ましく、電動式オイルポンプ１などが正常である場合に、モータ電流が過電流とならないように予め定められている。
【００４３】
従って、電流ＡＰが目標電流ＴＧＡＰに近づくように印加電圧Ｖを決定する制御（電流制御）においては、モータ回転速度ＮＰが目標回転速度ＴＧＮＰに近づくように印加電圧Ｖを決定する制御（回転速度制御）よりも、モータ電流をより低く制限することになる。
エンジン１２の回転中であって機械式オイルポンプ６の吐出圧、即ち、一方向弁１１の下流側の圧力が高い状態では、電動式オイルポンプ１を起動しても一方向弁１１が閉状態を保持するため、電動式オイルポンプ１（ブラシレスモータ２）の回転速度ＮＰの上昇が頭打ちとなる。
【００４４】
このため、電動式オイルポンプ１（ブラシレスモータ２）の回転速度ＮＰを目標に近づけるように印加電圧Ｖを決定する制御を実施すると、回転速度ＮＰが目標に達しないことから、印加電圧Ｖを漸増させることになり、印加電圧Ｖの増大に応じて電流が過大になってしまい、モータ駆動回路２１２のスイッチング素子２１７ａ〜２１７ｆなどを損傷させてしまう可能性がある。
更に、一方向弁１１の閉弁状態で上流側の圧力が大きくなることで、一方向弁１１が開弁したときに、電動式オイルポンプ１が吐出したオイルが一挙に流れ出し、オイル流量のオーバーシュートが発生する可能性がある。
【００４５】
これに対し、上記のように、ブラシレスモータ２の電流ＡＰを目標ＴＧＡＰに近づけるように印加電圧Ｖを決定する制御を実施すれば、モータ回転速度ＭＰを目標回転速度ＴＧＮＰに近づけるように印加電圧Ｖを決定する制御（回転速度制御）を行った場合よりも電流をより低く制限することになって、電流（換言すれば、一方向弁１１の上流側圧力）が過大になることを抑制でき、過大電流による駆動回路の損傷や流量のオーバーシュートの発生を抑制できる。
【００４６】
即ち、エンジン１２の回転停止に伴う電動式オイルポンプ１への移行段階において、電流ＡＰを目標ＴＧＡＰに近づけるように印加電圧Ｖを決定する制御（電流制御）から、モータ回転速度ＮＰを目標回転速度ＴＧＮＰに近づけるように印加電圧Ｖを決定する制御（回転速度制御）に移行させれば、モータ電流としてより高い電流が許容されることになり、電流制御は過大電流を制限する制御であって、電流制御から回転速度制御への移行は、過大電流を制限する制御を解除したことに相当することになる。
【００４７】
ステップＳ３０２で、ブラシレスモータ２の電流を目標に近づけるように印加電圧Ｖを決定する制御を実施しているときには、更に、ステップＳ３０３へ進み、目標値ＴＧＮＰと実際のモータ回転速度ＮＰとの偏差ΔＮＰの絶対値が閾値以下になっているか否か、換言すれば、モータ回転速度ＮＰが上昇して目標に充分に近づいているか否かを判断する。
前記目標値ＴＧＮＰは、エンジン１２の停止中におけるモータ回転速度ＮＰの目標値であり、後述するように、ステップＳ３０３からステップＳ３０４へ進んだ場合には、モータ回転速度ＮＰが目標値ＴＧＮＰに近づくように印加電圧Ｖを決定する。
【００４８】
但し、ステップＳ３０２で用いる目標値ＴＧＮＰとして、制御切り替え判定用として予め設定したモータ回転速度、即ち、印加電圧操作における目標とする回転速度とは異なる回転速度を用いることができる。
エンジン１２を停止する処理（燃料噴射・点火の停止）が実施され、エンジン１２の回転がアイドル回転速度から低下して機械式オイルポンプ６の吐出圧が低下すると、一方向弁１１が開き、一方向弁１１が開くことで、電動式オイルポンプ１の負荷が減って電動式オイルポンプ１の回転速度ＮＰが上がることになる。
【００４９】
そこで、一方向弁１１が開いて電動式オイルポンプ１の負荷が減ったことを、電動式オイルポンプ１の回転速度ＮＰの上昇変化に基づいて検出するものであり、電動式オイルポンプ１の回転速度ＮＰの上昇変化を、本実施形態では、回転速度偏差ΔＮＰと閾値との比較に基づいて判断する。
そして、一方向弁１１が開いて電動式オイルポンプ１の負荷が減った状態では、電動式オイルポンプ１（ブラシレスモータ２）の回転速度ＮＰを目標ＴＧＮＰに近づけるように印加電圧Ｖを決定する制御を実施しても、電流が過大になるまで印加電圧Ｖを増加させることはなく、また、電動式オイルポンプ１（ブラシレスモータ２）の回転速度ＮＰを目標ＴＧＮＰ付近に維持させることで、オイルの必要流量を安定的に確保できる。
【００５０】
このため、電動式オイルポンプ１の目標回転速度ＴＧＮＰと実際の回転速度ＮＰとの偏差ΔＮＰの絶対値が閾値以下になっていて、一方向弁１１の開弁による電動式オイルポンプ１の回転速度ＮＰの上昇変化を推定できる場合には、ステップＳ３０４へ進み、電動式オイルポンプ１（ブラシレスモータ２）の回転速度ＮＰを目標ＴＧＮＰに近づけるように印加電圧Ｖを決定する制御に移行させる。
ステップＳ３０４の制御は、具体的には、実際の回転速度ＮＰが目標ＴＧＮＰよりも低い場合には印加電圧Ｖを増加させ、実際の回転速度ＮＰが目標ＴＧＮＰよりも高い場合には印加電圧Ｖを減少させる制御を行うものであり、係る印加電圧Ｖの決定には、例えば、実際の回転速度ＮＰと目標ＴＧＮＰとの偏差に基づく比例・積分・微分制御を用いることができる。
【００５１】
尚、電動式オイルポンプ１（ブラシレスモータ２）の回転速度ＮＰを目標ＴＧＮＰに近づけるように印加電圧Ｖを決定する制御を、エンジン１２の回転が低下する前から前述の比例・積分・微分制御を用いて行うと、実際の回転速度ＮＰが目標ＴＧＮＰに達しないことから積分分が溜まり、エンジン１２の回転が低下した後も、前記積分分によって印加電圧Ｖが高い値を保持して過大電流が流れる状態が継続してしまう。
【００５２】
これに対し、エンジン１２の回転低下（一方向弁１１の開弁）を待って、回転速度ＮＰを目標ＴＧＮＰに近づけるように印加電圧Ｖを決定する制御を開始させれば、回転速度ＮＰを目標ＴＧＮＰにまで上昇させることができるので、積分分が過剰に溜まることがなく、印加電圧Ｖが過大となって過電流が流れることを抑制できる。
また、電動式オイルポンプ１の回転速度ＮＰの上昇変化を検出できなかったとしても、エンジン１２が回転を停止し、機械式オイルポンプ６が停止した場合には、電動式オイルポンプ１の吐出圧で一方向弁１１が開くことで、電動式オイルポンプ１の負荷が減って電動式オイルポンプ１の回転速度ＮＰが上がることになり、電動式オイルポンプ１（ブラシレスモータ２）の回転速度ＮＰを目標ＴＧＮＰに近づけるように印加電圧Ｖを決定する制御を実施しても、電流が過大になるまで印加電圧Ｖが増加することはないものと判断できる。
【００５３】
そこで、エンジン１２の回転が停止したと判断した場合も、ステップＳ３０４へ進み、電動式オイルポンプ１（ブラシレスモータ２）の回転速度ＮＰを目標に近づけるように印加電圧Ｖを決定する制御に移行させる。
即ち、目標値ＴＧＮＰと実際のモータ回転速度ＮＰとの偏差ΔＮＰの絶対値が閾値以下になるか、又は、エンジン１２の回転停止を検出した場合に、ステップＳ３０４へ進む。
【００５４】
電動式オイルポンプ１（ブラシレスモータ２）の回転速度ＮＰを目標に近づけるように印加電圧Ｖを決定する制御に移行すると、ステップＳ３０５では、電動式オイルポンプ１の停止指令が発生したか否かを判定する。そして、停止指令が発生していない場合、換言すれば、アイドルストップの継続中であれば、ステップＳ３０１へ戻って、電動式オイルポンプ１の印加電圧の制御を継続させる。
【００５５】
尚、上記ステップＳ３０３では、エンジン１２の回転停止に伴う機械式オイルポンプ６から電動式オイルポンプ１への移行段階における電流制御から回転速度制御への切り替えタイミングを、目標値ＴＧＮＰと実際のモータ回転速度ＮＰとの偏差ΔＮＰ、または、エンジン１２の回転停止に基づいて判断させたが、この他、エンジン１２の回転停止指示の発生時点、エンジン１２の回転停止指示から設定時間だけ経過した時点、エンジン回転速度ＮＥが設定回転速度（＞０rpm）にまで低下した時点、エンジン１２の回転停止から設定時間だけ経過した時点のいずれかで、電流制御から回転速度制御への切り替えを行わせることができる。
【００５６】
更に、変速機７に供給される作動油圧（ライン圧）、即ち、一方向弁１１の下流側の圧力が低下して設定圧に達した時点で、電流制御から回転速度制御への切り替えを行わせることができる。
即ち、ステップＳ３０３の判断は、一方向弁１１が間もなく開くものと推定できるタイミングから、一方向弁１１が確実に開いていると推定できるタイミングの間である、エンジン１２の回転停止に伴う電動式オイルポンプ１への移行段階を判断できれば良い。
【００５７】
但し、電流制御から回転速度制御への切り替えタイミングが早すぎると、過大電流が流れる期間が長くなり、逆に、電流制御から回転速度制御への切り替えタイミングが遅すぎると、無駄にモータ電流を低く制限し、目標回転速度ＴＧＮＰに到達するのが遅れてしまうことになるので、これらの要求を満たす適切な期間内で、電流制御から回転速度制御への切り替えが行われるように、切り替えタイミングを予め適合する。
【００５８】
図１０は、エンジン１２（機械式オイルポンプ６）の回転が停止した時点で、ブラシレスモータ２の制御方式を切り替える場合における、ブラシレスモータ２の回転速度ＮＰ、印加電圧Ｖ、電流ＡＰの変化を示すタイムチャートである。
時刻ｔ１でアイドルストップの許可が判定されると、ブラシレスモータ２を起動し、モータ電流ＡＰを目標値ＴＧＡＰに近づけるように印加電圧Ｖを制御してブラシレスモータ２を駆動する。
【００５９】
ここで、エンジン１２の運転停止処理が実行され、これにより機械式オイルポンプ６の回転が減少し、一方向弁１１が開弁するまでの間、モータ電流ＡＰが目標値ＴＧＡＰ付近に制御されるから、モータ電流が過大になることが抑制され、また、一方向弁１１の上流側圧力（ポンプ負荷）が過剰に上昇することがない。
そして、アイドルストップの許可に基づき、時刻ｔ２の時点でエンジン１２の回転停止指示に基づきエンジン１２の燃料噴射・点火を停止し、時刻ｔ３でエンジン１２の回転が停止すると、モータ電流ＡＰを目標値ＴＧＡＰに近づけるように印加電圧Ｖを決定する制御（電流制御）から、モータ回転速度を目標値に近づけるように印加電圧Ｖを決定する制御（回転速度制御）に移行することで、過大電流を制限する制御を解除し、より高い電流が許容されるようにする。
【００６０】
エンジン１２の回転が停止するときには、機械式オイルポンプ６の回転も停止し、機械式オイルポンプ６の回転が停止すれば一方向弁１１の下流側圧力が低下することで、一方向弁１１が開き、一方向弁１１が開いた状態であれば、一方向弁１１上流側での圧力上昇が抑えられるから回転を上げることができ、モータ回転速度ＮＰを目標値ＴＧＮＰに近づけるように印加電圧Ｖを決定する制御に移行しても、印加電圧Ｖの増加による過大電流の発生を抑制でき、かつ、モータ回転速度ＮＰを目標ＴＧＮＰ付近に制御することで、必要流量の安定的な確保を図ることができる。
【００６１】
更に、一方向弁１１が開いて電動式オイルポンプ１の負荷が低下し、電動式オイルポンプ１の回転が上昇傾向にある状態から、モータ回転速度ＮＰを目標値ＴＧＮＰに近づけるように印加電圧Ｖを決定する制御に移行するから、目標回転速度ＴＧＮＰに向けてモータ回転速度ＮＰをスムーズに上昇させることができる。
ところで、上記実施形態では、エンジン１２の回転中に、電動式オイルポンプ１の電流制御を実施することで、過大電流を制限するようにしたが、エンジン１２回転中の電動式オイルポンプ１の起動時から、回転速度制御を実施させる一方、エンジン回転中（エンジン１２の回転停止に伴う電動式オイルポンプ１への移行前）であるか否かによって、最大電流の制限値を切り替えることで、エンジン１２の回転中に過大電流となることを抑制することができる。
【００６２】
この最大電流の制限値を切り替える実施形態を、図１１のフローチャートに従って説明する。
図１１のフローチャートの各ステップは、前述の図９のフローチャートの各ステップに対して、ブラシレスモータ２の通電制御を行うステップであるステップＳ４０２、ステップＳ４０４のみが異なり、他のステップＳ４０１、ステップＳ４０３、ステップＳ４０５は、前述のステップＳ３０１、ステップＳ３０３、ステップＳ３０５と同様な処理を行う。
【００６３】
ステップＳ４０１でエンジン１２が回転中であると判断し、ステップＳ４０２へ進むと、ブラシレスモータ２の電流ＡＰが目標電流ＴＧＡＰに近づくように印加電圧Ｖを決定する制御（電流制御）を行わせることで、電動式オイルポンプ１を作動させる。
即ち、図９のフローチャートに示した実施形態では、電動式オイルポンプ１の起動からエンジン１２の回転停止に伴う電動式オイルポンプ１への移行段階に至るまでは、モータ電流ＡＰを目標値ＴＧＡＰに近づけるように印加電圧Ｖを決定する制御（電流制御）を行い、その後、モータ回転速度ＮＰを目標値ＴＧＮＰに近づけるように印加電圧Ｖを決定する制御（回転速度制御）に移行させた。
【００６４】
これに対し、図１１に示す実施形態では、電動式オイルポンプ１の起動当初のエンジン回転中から、回転速度制御で電動式オイルポンプ１を作動させる。
ここで、回転速度制御を実施した場合、前述のように、一方向弁１１が閉じていることで、モータ回転速度ＮＰが目標ＴＧＮＰに到達せずに、印加電圧Ｖを過剰に増加させてしまい、過大電流が流れてしまうことになる。
【００６５】
そこで、ステップＳ４０２では、回転速度制御を実施するが、最大電流の制限値ＡＰＭＡＸを実際の電流ＡＰが超えない範囲で、印加電圧Ｖを許容するようにして、たとえ実際のモータ回転速度ＮＰが目標値ＴＧＮＰを下回っている状態であっても、モータ電流ＡＰが制限値ＡＰＭＡＸに達していれば、それ以上に印加電圧Ｖを増加させないようにする最大電流の制限制御を実施する。
ステップＳ４０２におけるエンジン回転中の回転速度制御では、前記制限値ＡＰＭＡＸに、エンジン回転中（一方向弁１１の閉弁中）であって回転速度ＮＰが目標値ＴＧＮＰに達しない状態に適合させた値ＡＰＭＡＸ１を設定する。
【００６６】
この制限値ＡＰＭＡＸ１は、エンジンの回転停止に伴う電動式オイルポンプ１への移行を判断した後に用いる制限値ＡＰＭＡＸ２よりも低い電流値であり、たとえ実際のモータ回転速度ＮＰが目標値ＴＧＮＰを下回っている状態であっても、制限値ＡＰＭＡＸ１以下にモータ電流ＡＰを制限することで、一方向弁１１が閉じていてモータ回転速度ＮＰが上がらない状態で、印加電圧Ｖを増大させて過大電流が流れ、また、一方向弁１１の上流側圧力が過大になることを抑制する。
【００６７】
そして、ステップＳ４０３で、エンジン１２の回転停止に伴う一方向弁１１の開弁動作によって電動式オイルポンプ１による油圧供給に移行する段階であると判断すると、ステップＳ４０４へ進み、モータ回転速度ＮＰを目標値ＴＧＮＰに近づけるように印加電圧Ｖを決定する制御（回転速度制御）をそのまま継続させるが、前記制限値ＡＰＭＡＸに前記ＡＰＭＡＸ１よりも高い電流値であるＡＰＭＡＸ２を設定する。
即ち、ステップＳ４０４へ進むことで、制限値ＡＰＭＡＸ１による電流制限、換言すれば、一方向弁１１の閉弁状態で回転速度制御を実施することで発生する過大電流を制限する制御を解除し、より高い電流（ＡＰＭＡＸ２）を許容する状態に切り替え、目標回転速度ＴＧＮＰに向けてモータ回転速度ＮＰを増加させることができるようにする。
尚、ステップＳ４０４へ進んだときに、制限値ＡＰＭＡＸによる電流制限を停止させてもよい。
【００６８】
上記実施形態では、電流ＡＰの制限値ＡＰＭＡＸを切り替えることで、一方向弁１１の閉弁状態（エンジン１２の回転停止前）から回転速度制御を実施しても、過大電流が流れ、また、一方向弁１１の上流側圧力が過大になることを簡便に抑制できる。
尚、本願発明は、変速機にオイルを供給するオイルポンプに限定されず、例えば、エンジンに冷却水を供給するウォータポンプとして、エンジンで駆動される機械式ウォータポンプと、モータで駆動される電動式ウォータポンプとを備える車両にも適用できる。
【００６９】
ここで、上記実施形態から把握し得る請求項以外の技術的思想について、以下に効果と共に記載する。
（イ）請求項１〜３のいずれか１つに記載の車両用電動式ポンプの制御装置において、
前記電動式ポンプと前記機械式ポンプが、エンジンに接続される変速機に作動油を供給するオイルポンプであり、
前記エンジンがアイドルストップ機能による停止中に前記電動式ポンプを作動させる車両用電動式ポンプの制御装置。
【００７０】
上記構成によると、エンジンがアイドルストップし、機械式オイルポンプが停止しても、代わりに電動式オイルポンプによって変速機に作動油圧を供給でき、再始動後の発進性能を維持でき、また、電動式オイルポンプをエンジン停止前から作動させても、過大電流が流れることを抑制して、駆動回路の保護を図れ、また、一方向弁の上流側圧力が過大になることを抑制して、流量のオーバーシュートの発生を抑制できる。
【００７１】
（ロ）請求項１〜３のいずれか１つに記載の車両用電動式ポンプの制御装置において、
前記電動式ポンプを駆動するモータがブラシレスモータであり、該ブラシレスモータの各相への通電モードを、少なくとも低速側で、通電相に対する印加パルス電圧によって非通電相に誘起される電圧を検出し、検出した非通電相の電圧と通電モード毎の閾値とを比較し、非通電相の電圧が閾値に達した時点で、電圧を印加する相の切り替えを行う車両用電動式ポンプの制御装置。
【００７２】
上記発明によると、電動式ポンプを駆動するモータがブラシレスモータであっても、低速域から通電モードの切り替えを行え、エンジン停止前から電動式ポンプを作動させ、回転速度が上がらない状態となっても、脱調の発生を抑制できる。
【符号の説明】
【００７５】
１…電動式オイルポンプ（電動式ポンプ）、２…ブラシレスモータ、３…モータ制御装置、６…機械式オイルポンプ（機械式ポンプ）、１１…一方向弁、１２…エンジン、２１２…モータ駆動回路、２１３…制御器、２１５Ｕ，２１５Ｖ，２１５Ｗ…巻線、２１６…永久磁石回転子、２１７ａ〜２１７ｆ…スイッチング素子
【図１】
0005416067.tif 000002
【図２】
0005416067.tif 000003
【図３】
0005416067.tif 000004
【図４】
0005416067.tif 000005
【図５】
0005416067.tif 000006
【図６】
0005416067.tif 000007
【図７】
0005416067.tif 000008
【図８】
0005416067.tif 000009
【図９】
0005416067.tif 000010
【図１０】
0005416067.tif 000011
【図１１】
0005416067.tif 000012